(57)【要約】      （修正有）【課題】垂れ落ちることなく肌に塗布でき、さらに、肌上でマッサージする際の手で加える力に応じて、該水性ゲル状組成物の粘弾性が変化するという特徴があり、さらには洗い流した後の肌のしっとり感や、経時安定性にも優れた水性ゲル状組成物を提供すること。【解決手段】次の成分（Ａ）〜（Ｄ）；（Ａ）（アクリル酸アルキル／メタクリル酸ステアレス−２０）コポリマー（Ｂ）ベタイン型両性界面活性剤（Ｃ）２５℃で液状の油性成分（Ｄ）塩基性物質を配合し、成分（Ｃ）の配合量が０．００１〜１質量％であり、成分（Ａ）、成分（Ｂ）の配合質量割合が、成分（Ａ）：成分（Ｂ）＝２０：１〜１：２の範囲であることを特徴とする水性ゲル状組成物。【選択図】なし【特許請求の範囲】
【請求項１】
次の成分（Ａ）〜（Ｄ）；
（Ａ）（アクリル酸アルキル／メタクリル酸ステアレス−２０）コポリマー
（Ｂ）ベタイン型両性界面活性剤
（Ｃ）２５℃で液状の油性成分
（Ｄ）塩基性物質
を配合し、成分（Ｃ）の配合量が０．００１〜１質量％であり、成分（Ａ）、成分（Ｂ）の配合質量割合が、成分（Ａ）：成分（Ｂ）＝２０：１〜１：２の範囲であることを特徴とする水性ゲル状組成物。
【請求項２】
前記成分（Ｃ）が、炭素数８〜１８の脂肪酸と炭素数２〜１８のアルコールとのエステルであることを特徴とする請求項１記載の水性ゲル状組成物。
【請求項３】
２５℃における粘度が、３，０００〜３０，０００ｍＰａ・ｓであることを特徴とする請求項１又は２記載の水性ゲル状組成物。
【請求項４】
前記水性ゲル状組成物が、皮膚外用剤又は化粧料であることを特徴とする請求項１〜３の何れかの項記載の水性ゲル状組成物。
【発明の詳細な説明】
【技術分野】
【０００１】
本発明は、（アクリル酸アルキル／メタクリル酸ステアレス−２０）コポリマー、ベタイン型両性界面活性剤、２５℃で液状の油性成分、塩基性物質を配合することを特徴とする水性ゲル状組成物に関するものであり、更に詳しくは該水性ゲル状組成物が、手や指で取り出しやすく、さらに、肌上でマッサージする際に加える力が大きいほど高粘度となり逆に小さいほど低粘度になるという、加える力に応じて、該水性ゲル状組成物の粘弾性が変化するという特徴があり、さらには洗い流した後の肌のしっとり感にも優れる特徴があるものである。
【背景技術】
【０００２】
一般に、水性ゲル状組成物は、多くの水性成分を含むことを特徴とする剤型であり、マッサージ料、クレンジング料、整髪料等の化粧料や、ゲル状軟膏剤などの医薬品等の皮膚外用剤にも応用されているものである。なかでもマッサージ料は、適度な負荷を塗布時にかけることにより、血行促進や、緊張緩和、筋肉疲労などの回復に大きな効果を持つ製剤として有用であるが、摩擦による肌表面への刺激を抑えるために、指や手のひらが肌表面で滑らかに動くことが使用特性として必要であり、水性ゲル状組成物の用途として多く使用されている。
【０００３】
そのため、水性ゲル状組成物に用いられるゲル化剤は、組成物の使用性や粘弾性特性を左右する成分である。例えば特定のアニオン界面活性剤と水膨潤性粘土鉱物、アニオン性高分子と特定の両性界面活性剤を用いた洗浄剤組成物（例えば特許文献１参照）がある。また、起泡性界面活性剤と水溶性高分子を用いて高粘度にすることで肌への粘着性を上げている水性製剤（例えば特許文献２参照）や、相転移が起こり易く高粘度ながらなめらかな伸び広がりをもつ液状油分を多く含む高内相の水中油型製剤（例えば特許文献３参照）等が開発されている。また金属石鹸と水溶性高分子を組み合わせることでのびが良く、肌への保水性に優れたゲル状組成物（例えば特許文献４参照）等が開発されている。
【先行技術文献】
【特許文献】
【０００４】
【特許文献１】特開２０１１−０３８００４号公報
【特許文献２】特開２００４−３３９１１０号公報
【特許文献３】特開２００５−３０６８７２号公報
【特許文献４】特開２０００−２４７８２８号公報
【発明の概要】
【発明が解決しようとする課題】
【０００５】
しかしながら、特許文献１の技術では、起泡力に優れる等の洗浄剤組成物の開示がされているが、配合成分に応じた粘性付与は可能であるものの、本願発明のように特異的な粘弾性を得るという点で十分なものではなかった。特許文献２や３の技術では、高粘度であるため手や指で取り出しやすいが、特許文献２の場合、伸び広がりが悪いためマッサージの効果が低下してしまうことがあり、また特許文献３の場合、相転移が起こり易い高内相の水中油型製剤の場合、相転移後は肌上での滑りが良すぎるなど、マッサージ効果としては十分なものではなかった。特許文献４の技術では、使用時の伸び広がりや肌への保水性は高いものの、マッサージを行なうためには十分なものではなかった。
【０００６】
以上のような従来技術はあるものの、容器から手や指で取り出しやすく、また使用時には肌上で滑り過ぎず、そのうえ伸び広がりが良好な、つまり、適度な粘度を有して、肌上でマッサージする際の手で加える力に応じて、該水性ゲル状組成物の粘弾性が変化し、組成物の粘度が上昇し、結果として、肌に対しての抵抗感を生じることとなるため、マッサージの効果を向上させ、更には洗い流した後の肌のしっとり感に優れるものは存在しておらず、その開発が求められていた。
【課題を解決するための手段】
【０００７】
かかる実情に鑑み、本発明者らは上記課題を解決するために鋭意検討を行った。はじめに検討した水性ゲル化剤においてノニオン性ポリマーは、耐塩性に優れるものの、使用時に肌にべたつき感を生じる場合があり、イオン性ポリマーも含め検討した結果、（アクリル酸アルキル／メタクリル酸ステアレス−２０）コポリマーの中和物が、べたつき感を生じることなく、使用性に優れるものとしてこれをベースに開発検討することとした。しかしながら、該中和物だけでは、マッサージの効果として優れない場合があり、添加成分を検討した結果、ベタイン型両性界面活性剤を併用し、これらを特定の比率にすることによって、加える力が大きいほど高粘度となり逆に小さいほど低粘度になるというダイラタンシー性のような特異的な粘弾性挙動を示すという知見を見出した。さらに、２５℃で液状の油性成分を配合することにより洗い流し後のしっとり感にも優れた水性ゲル状組成物を得、該組成物は経時安定性にも優れることを見出し、本発明を完成させるに至った。
【０００８】
すなわち、本発明は、次の成分（Ａ）〜（Ｄ）；
（Ａ）（アクリル酸アルキル／メタクリル酸ステアレス−２０）コポリマー
（Ｂ）ベタイン型両性界面活性剤
（Ｃ）２５℃で液状の油性成分
（Ｄ）塩基性物質
を配合し、成分（Ｃ）の配合量が０．００１〜１質量％であり、成分（Ａ）、成分（Ｂ）の配合質量割合が、成分（Ａ）：成分（Ｂ）＝２０：１〜１：２の範囲であることを特徴とする水性ゲル状組成物を提供するものである。
【０００９】
さらに前記成分（Ｃ）が、炭素数８〜１８の脂肪酸と炭素数２〜１８のアルコールとのエステルであることを特徴とする水性ゲル状組成物を提供するものである。
【００１０】
また前記水性ゲル状組成物の２５℃における粘度が、３，０００〜３０，０００ｍＰａ・ｓであることを特徴とする水性ゲル状組成物を提供するものである。
【００１１】
そしてまた水性ゲル状組成物が、皮膚外用剤又は化粧料であることを特徴とする水性ゲル状組成物を提供するものである。
【発明の効果】
【００１２】
本発明の水性ゲル状組成物は、手や指で取り出しやすく、さらに、肌上でマッサージする際の手で加える力に応じて、該水性ゲル状組成物の粘弾性が変化するという特徴があり、さらには洗い流した後の肌のしっとり感にも優れるものである。
【発明を実施するための形態】
【００１３】
以下本発明について詳しく説明を記載する。なお、本明細書において、「〜」はその前後の数値を含む範囲を意味するものとする。
【００１４】
本発明に用いる成分（Ａ）の（アクリル酸アルキル／メタクリル酸ステアレス−２０）コポリマーは、ＩＣＩＤ（Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ）収載の、アクリレート／ステアレス−２０メタクリレート共重合体である。この成分（Ａ）は、本発明の水性ゲル状組成物として水性成分に適度な粘性を付与するために配合されるものである。また後述する成分（Ｂ）と併用することにより、該組成物の粘弾性を変化させうる成分である。
【００１５】
なお、成分（Ａ）は、アクリル酸アルキルエステルとメタクリル酸（ポリオキシエチレンモノアルキルエーテル）エステルの共重合体であり、ポリオキシエチレンの平均付加数は２０のものである。
【００１６】
成分（Ａ）の（アクリル酸アルキル／メタクリル酸ステアレス−２０）コポリマーは、該高分子を水中に分散させて用いてもよいが、水中でモノマーを乳化重合させ、エマルションポリマーとして用いることが好ましい。このようなエマルションポリマーとしては、固形分濃度が２０〜４０％が好ましく、具体的には、アクリル酸、メタクリル酸、アクリル酸アルキル（炭素数１〜４）又はメタクリル酸アルキル（炭素数１〜４）の少なくとも一種以上のモノマーと、ポリオキシエチレン（２０モル）ステアリルエーテルとメタクリル酸のエステルの共重合体のエマルションである、アキュリン２２（固形分３０％、水７０％）等の市販品が挙げられる。
【００１７】
本発明の化粧料における成分（Ａ）の配合量は、特に限定されるものではないが、０．０１〜１０質量％（以下、質量％は単に「％」と略す）が好ましく、０．１〜５％が特に好ましい。成分（Ａ）をこの範囲で配合すると、手や指で取り出しやすく、さらに、肌上でマッサージする際に加える力が大きいほど高粘度となり逆に小さいほど低粘度になるという、加える力に応じて、該水性ゲル状組成物の粘弾性が変化するという特徴がある水性ゲル状組成物を得ることができる。
【００１８】
本発明の水性ゲル状組成物に配合する成分（Ｂ）のベタイン型両性界面活性剤は、前述の成分（Ａ）と共に用いることにより、ゲル特性を変化させうる成分である。これは成分（Ａ）のアニオン性部と、成分（Ｂ）の両性部において相互作用することによるものと考えられる。このような成分（Ｂ）に用いられるベタイン型両性界面活性剤は、特に限定されないが、例えばヤシ油脂肪酸アミドプロピルベタイン、オクチルジメチルアミノ酢酸ベタイン、ラウリルジメチルアミノ酢酸ベタイン、ラウリン酸アミドプロピルベタイン、ヤシ油脂肪酸アルキルジメチルアミノ酢酸ベタイン、ミリスチルジメチルアミノ酢酸ベタイン、セチルジメチルアミノ酢酸ベタイン、ヤシ油脂肪酸アミドプロピルジメチルアミノ酢酸ベタイン、ラウリン酸アミドプロピルジメチルアミノ酢酸ベタイン、ラウリルジヒドロキシエチルアミノ酢酸ベタイン、セチルジヒドロキシエチルアミノ酢酸ベタイン等のカルボベタイン型両性界面活性剤、ヤシ油アルキルスルホベタイン、ラウリルスルホベタイン等のスルホベタイン型両性界面活性剤、等を挙げることができ、これらを一種又は二種以上用いることができる。
【００１９】
これら成分（Ｂ）のうち、ヤシ油脂肪酸アミドプロピルベタイン、ラウリルジメチルアミノ酢酸ベタイン、ラウリン酸アミドプロピルベタインが特に好ましい。市販品としては、マーポビスターＣＡＰ−Ｘ（松本油脂製薬社製）、リカビオンＡ−１００（新日本理化社製）、リカビオンＢ−３００（新日本理化社製）を用いることができる。
【００２０】
本発明の水性ゲル状組成物における成分（Ｂ）の配合量は、特に限定されないが、０．０１〜２０％が好ましく、０．０５〜１０％がより好ましい。成分（Ｂ）をこの範囲で配合すると、垂れ落ちることなく肌に塗布でき、さらに、肌上でマッサージする際の手で加える力に応じて、該水性ゲル状組成物の粘弾性が変化するという特徴があり、さらには洗い流した後の肌のしっとり感に優れた水性ゲル状組成物を得ることができる。
【００２１】
また、本発明においては、成分（Ａ）と成分（Ｂ）を配合質量割合で、成分（Ａ）：成分（Ｂ）＝２０：１〜１：２の範囲とすることが必要である。これは、手や指でとれやすく、さらに、肌上でマッサージする際に加える力が大きいほど高粘度となり逆に小さいほど低粘度になるという、加える力に応じて、該水性ゲル状組成物の粘弾性が変化するという特徴を得ることができ、この割合より大きくなると、取り出し難いかたい組成物となることから、マッサージをすることができず、この割合より小さくなると、組成物の粘度が低くなり、手や指で取り出しにくくなる場合がある。このような割合として、より好ましくは、成分（Ａ）：成分（Ｂ）＝１０：１〜２：１であり、さらには成分（Ａ）：成分（Ｂ）＝５：１〜３：１であることが好ましい。この範囲とすることにより、手で加える力に応じて、該水性ゲル状組成物の粘弾性が変化するという特性がさらに顕著なものとすることができる。
【００２２】
本発明の成分（Ｃ）の２５℃で液状の油性成分は、前述の成分（Ｂ）と共に用いることで、前述の成分（Ａ）と相互作用することで該水性ゲル状組成物の粘弾性が変化するという特徴があり、さらには洗い流した後の肌のしっとり感を向上させる成分である。このような成分（Ｃ）の配合量は、０．００１〜１％であり、０．１〜０．５％が特に好ましい。０．００１％未満では、粘度が高くなりマッサージがしにくくなり、また洗い流しのしっとり感が悪くなるため好ましくない。１％を超えると粘度が低く手や指で取り出しにくく、さらに洗い流し後の肌のべたつきを生じる。
【００２３】
本発明の成分（Ｃ）の２５℃で液状の油性成分には、動物油、植物油、合成油等の起源、及び、液体油、揮発性油等の性状を問わず、炭化水素類、油脂類、エステル油類、高級アルコール類、シリコーン油類、フッ素系油類、脂肪酸類など化粧料一般に使用されるものが用いられる。具体的には、炭化水素類として流動パラフィン、軽質流動イソパラフィン、スクワレン、スクワラン、α−オレフィンオリゴマー、ポリブテン等が挙げられ、油脂類としてトウモロコシ油、ベニバナ油、ヒマワリ油、アボカド油、米胚芽油、小麦胚芽油、アルモンド油、大豆油、菜種油、胡麻油、ツバキ油、サザンカ油、パーシック油、オリーブ油、茶実油、シソ実油、ミンク油、ヒマシ油、アマニ油、月見草油、ボレッジ油、メドウフォーム油、マカデミアンナッツ油、トリイソオクタン酸グリセリル、トリ（カプリル・カプリン）酸グリセリル、トリイソパルミチン酸グリセリル等が挙げられ、エステル油類としてミリスチン酸イソプロピル、パルミチン酸イソプロピル、オクタン酸セチル、オレイン酸デシル、オレイン酸オレイル、オレイン酸オクチルドデシル、オレイン酸エチル、ステアリン酸オクチル、安息香酸アルキルエステル、ミリスチン酸オクチルドデシル、ジオクタン酸ネオペンチルグリコール、ジカプリジイソステアリル、ホホバ油等が挙げられ、シリコーン油類として低重合度ジメチルポリシロキサン、高重合度ジメチルポリシロキサン、メチルフェニルポリシロキサン、デカメチルシクロペンタシロキサン、オクタメチルシクロテトラシロキサン、架橋型オルガノポリシロキサン、フッ素変性シリコーン等があり、フッ素系油類としてパーフルオロポリエーテル、パーフルオロデカン、パーフルオロオクタン等が挙げられ、高級アルコールとしてオレイルアルコール、イソステアリルアルコール、オクチルドデカノール等が挙げられ、脂肪酸類としてオレイン酸、ヤシ油脂肪酸、イソステアリン酸、リノール酸、リノレン酸等が挙げられる。
【００２４】
さらに前記成分（Ｃ）が、２５℃で液状である油のうちで、炭素数８〜１８の脂肪酸と炭素数２〜１８のアルコールとのエステルは、該水性ゲル状組成物の粘弾性や洗い流し後の肌のしっとり感を良好にするために、特に好ましいものである。このような成分（Ｃ）としては通常の化粧料に用いられるものであれば特に限定されない。具体的には、オクタン酸オクチル、オクタン酸パルミチル、イソノナン酸イソノニル、イソノナン酸イソトリデシル、ラウリン酸エチル、オクタン酸オクチルラウリン酸ヘキシル、ミリスチン酸エチル、ミリスチン酸ブチル、ミリスチン酸イソプロピル、パルミチン酸エチル、パルミチン酸イソプロピル、パルミチン酸オクチル、オレイン酸イソプロピル、オレイン酸エチル等が挙げられ、これらを一種又は二種以上用いることが出来る。成分（Ｃ）としては特に好ましくは、イソノナン酸イソノニル、イソノナン酸イソトリデシル、オレイン酸エチル、ミリスチン酸イソプロピルが挙げられる。
【００２５】
このような成分（Ｃ）の２５℃で液状である油は、市販品としては、例えばサラコス９９（日清オイリオグループ社製）、サラコス９１３（日清オイリオグループ社製）、ＣＬＥＡＲＢＲＩＧＨＴ  Ｅ−８１Ｓ（日油社製）、ＮＩＫＫＯＬ  ＩＰＭ−ＥＸ（日光ケミカルズ社製）、を用いることができる。
【００２６】
本発明に用いられる成分（Ｄ）は、成分（Ａ）を中和するために用いられるアルカリ性物質である。このようなアルカリ性物質としては、水酸化ナトリウム、水酸化カリウム等の無機アルカリ性物質や、アンモニア、トリエタノールアミン、イソプロパノールアミン、アルギニン、２−アミノ−２−メチルー１−プロパノール等の有機アルカリ性物質が挙げられ、これらを一種又は二種以上用いることができる。なお本発明における中和とは、２５℃においてｐＨ値が５．５〜８．５の範囲のものをいい、さらに好ましくは、６．５〜７．５のものをいう。
【００２７】
成分（Ｄ）として特に好ましくは水酸化ナトリウム、水酸化カリウム、トリエタノールアミン、２−アミノ−２−メチルー１−プロパノールが挙げられる。
【００２８】
本発明の化粧料における成分（Ｄ）の配合量は、特に限定されないが、成分（Ａ）を中和する目的で使用されるものであり、具体的には、成分（Ｄ）の種類によっても異なるが、概ね質量比で成分（Ａ）：成分（Ｄ）＝１：０．０５〜０．４が好ましい。
【００２９】
本発明の水性ゲル状組成物において、「水性」とは、分散媒としての水中に成分（Ａ）、成分（Ｂ）が分散されたものであればよく、成分（Ｃ）が可溶化されたものであることが好ましい。そのため本発明の水性ゲル状組成物は、外観は透明ないし半透明を呈しているものが好ましい。なおここでの「透明ないし半透明」とは、光路長１０ｍｍのセルを用いて、分光光度計で波長７００ｎｍの光の透過率を測定した場合に、透過率が８０％以上であり、９０％以上となるものが好ましい。ここでの分光光度計は、「ＵＶ−２５００ＰＣ  ＵＶ−ＶＩＳ  ＲＥＤＣＯＲＤＩＮＧ  ＳＰＥＣＴＲＯＰＨＯＴＯＭＥＴＥＲ」（ＳＨＩＭＡＤＺＵ社製）などを用いて測定できる。
【００３０】
本発明の水性ゲル状組成物において、「ゲル状」とは２５℃での粘度が３，０００〜３０，０００ｍＰａ・ｓであることを指す。なおここでの粘度値の測定にはブルックフィールド型粘度計を用いることができ、「単一円筒型回転粘度計−ビスメトロン」（芝浦システム社製）などを用いて測定できる。
【００３１】
本発明の水性ゲル状組成物の製造方法は、特に限定されることなく製造可能である。一例として、予め水系に成分（Ａ）を成分（Ｄ）にて中和しておき、これに成分（Ｂ）、成分（Ｃ）を添加し、攪拌しながら混合する方法を用いることで、水性ゲル状組成物を得ることが出来る。
【００３２】
本発明の水性ゲル状組成物には、上記必須成分の他に、本発明の効果を損なわない範囲で、通常化粧料に配合される成分として、上記必須成分以外に任意成分を加えることができる。この任意成分の例として、成分（Ａ）以外の水溶性高分子、成分（Ｂ）以外の界面活性剤、成分（Ｃ）以外の油性成分、成分（Ｄ）以外の塩基性物質、保湿剤、酸化防止剤、防腐剤、香料、色素等を本発明の効果を妨げない範囲で適宜配合することができる。
【００３３】
本発明の水性ゲル状組成物は、外用ゲル剤、クリーム剤、軟膏剤、リニメント剤、ローション剤、ハップ剤、硬膏剤等の皮膚外用剤として応用可能である。
【００３４】
また本発明の水性ゲル状組成物は、化粧料として応用可能である。具体的には、化粧水、乳液、クリーム、アイクリーム、美容液、マッサージ料、パック料、ハンドクリーム、ボディクリーム、クレンジング料、洗浄料、整髪料、日焼け止め料等のスキンケア化粧料、パウダーファンデーション、リキッドファンデーション、化粧用下地化粧料を例示することが出来、その使用方法は、手又はコットンで使用する方法、不織布等に塗布して使用する方法等が挙げられる。
【００３５】
上記化粧料の中でもマッサージ料、クレンジング料への使用に適している。これは、本発明の特徴である肌に塗布した際の手の加える力に応じて、ゲル状組成物の粘弾性が変化する特性があるためである。
【００３６】
本発明の水性ゲル状組成物は、手や指で取れやすく、さらに、肌上でマッサージする際の手で加える力に応じて、該水性ゲル状組成物の粘弾性が変化するという特徴がある。具体的には強い応力を与えることにより、該水性ゲル状組成物の粘度は急激に上昇し、一方、弱い応力を与えることにより粘性は急激に低下し液体に近い挙動を示す。
【００３７】
本発明の水性ゲル状組成物は、適量を手又は指でとり、顔又は髪、ボティ等の使用部位に塗り広げて使用することができる。マッサージ料として使用する場合には、適量を顔又はボディ等の肌上へ伸び広げ、マッサージする際に力が加わることで組成物の粘度が上昇し、凝集物ができるまでマッサージを行うことができる。
【実施例】
【００３８】
次に以下に実施例を挙げて本発明を詳細に説明する。尚、これらは本発明を何ら限定するものではない。
【００３９】
実施例１〜１５及び比較例１〜１２：水性ゲル状組成物
表１〜表３に示す組成の水性ゲル状組成物を下記製造方法により調製し、「１．手や指への取れやすさ」、「２．マッサージ特性（マッサージによる粘度変化の評価）」、「３．洗い流し後のしっとり感」の各項目について、以下に示す評価方法及び判定基準により評価判定し、結果を併せて表１〜表３に示した。
【００４０】
【表１】
2014012835.tif 000002
【００４１】
【表２】
2014012835.tif 000003
【００４２】
【表３】
2014012835.tif 000004
【００４３】
（製造方法：実施例１〜１５及び比較例１〜１２）
Ａ：成分（８）〜（１６）を混合する。
Ｂ：成分（１）〜（７）に［Ａ］を添加混合する。
Ｃ：［Ｂ］に成分（１７）〜（２２）を加えて混合する。
Ｄ：［Ｃ］を容器に充填し、水性ゲル状組成物を得た。
【００４４】
〔評価項目１：手や指での取り出しやすさ〕
化粧品評価専門パネル１０名に、実施例および比較例の水性ゲル状組成物を容器より指で取り出した際の「手や指での取り出しやすさ」について、各自が以下の評価基準に従って５段階評価し、更に全パネルの評点の平均点を以下の判定基準に従って判定した。
評価基準（官能評価）：
［評価］                                  ：［判定］
非常に取り出しやすい                          ：５
取り出しやすい                                ：４
やや取り出しやすい                            ：３
やや取り出しにくい                            ：２
取り出しにくい                                ：１
判定基準：
［評点の平均点］                          ：［判定］
４．５以上                                    ：◎
３．５以上〜４．５未満                        ：○
２．５以上〜３．５未満                        ：△
２．５未満                                    ：×
【００４５】
〔評価項目２：マッサージ特性（マッサージによる粘度変化の評価）〕
化粧品評価専門パネル１０名に、実施例及び比較例の水性ゲル状組成物５ｇを前腕内側部の２０ｃｍ幅の肌上に指で５秒間に１５回スライドさせながらマッサージした後、該水性ゲル状組成物を腕にのせた状態で、１０秒間腕を地面に対し垂直にした際の該組成物の垂れ落ち度合いについて、各パネルが以下の評価基準に従って５段階評価し、更に全パネルの評点の平均点を以下の判定基準に従って判定した。
なお垂れ落ち度合いは、肌上にある組成物の最下点からの移動距離として測定した。
この評価は、本発明の特徴である肌に塗布した際の手の加える力に応じて、ゲル状組成物の粘弾性が変化するという特性を評価する方法である。具体的には、力を加えてマッサージをすることにより該組成物の粘度が上昇し、より効果的にマッサージ効果が得られることへの評価方法である。
評価基準：
［評価］                                  ：［判定］
１０秒間全く動かない                          ：５
わずかに動くが１ｃｍ未満であり垂れ落ちはない  ：４
動くが１ｃｍ以上３ｃｍ未満である              ：３
３ｃｍ以上動くが肌上に止まる                  ：２
垂れ落ちる                                    ：１
［評点の平均点］                          ：［判定］
４．５以上                                    ：◎
３．５以上〜４．５未満                        ：○
２．５以上〜３．５未満                        ：△
２．５未満                                    ：×
【００４６】
〔評価項目３：洗い流し後の肌のしっとり感〕
化粧品評価専門パネル１０名に、実施例及び比較例の水性ゲル状組成物を全顔に約３分間かけて指でマッサージ後、水で該組成物を洗い流した後の肌の「洗い流し後の肌のしっとり感」について、各自が以下の評価基準に従って５段階評価し、更に全パネルの評点の平均点を以下の判定基準に従って判定した。
［判定基準］                            ：［判定］
洗い流し後に肌がかなりしっとりする          ：５
洗い流し後に肌がしっとりする                ：４
洗い流し後に肌がややしっとりする            ：３
洗い流し後に肌があまりしっとりしない        ：２
洗い流し後に肌がしっとりしない              ：１
［評点の平均点］                        ：［判定］
４．５以上                                  ：◎
３．５以上〜４．５未満                      ：○
２．５以上〜３．５未満                      ：△
２．５未満                                  ：×
【００４７】
表１〜表３の結果から明らかなように、本発明の実施品である実施例１〜１５の水性ゲル状組成物は、「手や指での取り出しやすさ」「マッサージ特性（マッサージによる粘度変化の評価）」「洗い流し後の肌のしっとり感」の全ての項目に優れた化粧料であった。特に「マッサージ特性（マッサージによる粘度変化の評価）」において良好な結果が得られた実施例１〜１５は力の入れ方の違いによるマッサージの実施方法の違いにより、異なったマッサージ効果が得られるというこれまでにない優位な水性ゲル状組成物であった。一方、成分（Ａ）を含有しない比較例１〜６の水性ゲル状組成物は、何れも、「マッサージ特性（マッサージによる粘度変化の評価）」の項目において良好な結果が得られず、優れたマッサージ効果が得られなかった。また成分（Ｂ）の代わりにアニオン性界面活性剤を用いた比較例７は製剤化を実施することができず評価することができなかった。またカチオン性界面活性剤を配合した比較例８は「マッサージ特性（マッサージによる粘度変化の評価）」、「洗い流し後の肌のしっとり感」の項目において良好な結果が得られなかった。また成分（Ｃ）の配合量を過剰量配合した比較例９は「マッサージ特性（マッサージによる粘度変化の評価）」の項目において良好な結果が得られなかった。また成分（Ｃ）の配合量を発明品に比較して少なく配合した比較例１０は「マッサージ特性（マッサージによる粘度変化の評価）」、「洗い流し後の肌のしっとり感」の項目において良好な結果が得られなかった。
【００４８】
実施例１６：マッサージ料
（成分）                                                            （％）
１．（アクリル酸アルキル／メタクリル酸ステアレス−２０）
コポリマー                                                  ２
２．エタノール                                                  １０
３．１、３―ブチレングリコール                                    ４
４．コカミドプロピルベタイン                                      ２
５．ラウリル硫酸ナトリウム                                        １
６．オレイン酸エチル                                              ０．５
７．香料                                                          適量
８．ポリオキシエチレン（１０モル）コレステリルエーテル            ０．１
９．イソステアリン酸ポリオキシエチレン（５０モル）硬化ヒマシ油    ０．２
１０．水酸化ナトリウム                                              ０．４
１１．塩化ナトリウム                                                ０．２
１２．乳酸ナトリウム                                                ０．１
１３．メチルパラベン                                                ０．１
１４．グリセリン                                                    ２
１５．ジプレピレングリコール                                        １
１６．ヒドロキシプロリン                                            ０．１
１７．セイヨウニワトコ花エキス                                      ０．１
１８．ショウブ根エキス                                              ０．１
１９．加水分解ダイズエキス                                          ０．１
２０．加水分解酵母エキス                                            ０．１
２１．クエン酸                                                      ０．１
２２．安息香酸ナトリウム                                            ０．１
２３．ベニバナ花エキス                                              ０．１
２４．ソルビン酸カリウム                                            ０．１
２５．精製水                                                        適量
【００４９】
（製造方法：実施例１６）
Ａ：成分（１）に（２）〜（９）を均一にしたものを添加混合する。
Ｂ：成分（１０）〜（２５）を均一にしたものを［Ａ］に添加混合する。
Ｃ：［Ｂ］を容器に充填し、マッサージ料を得た。
【００５０】
上記実施例１６のマッサージ料は「手や指での取り出しやすさ」「マッサージ特性（マッサージによる粘度変化の評価）」「洗い流し後の肌のしっとり感」に優れたものであった。また２５℃における粘度は、１２，０００ｍＰａ・ｓであった。
【００５１】
実施例１７：クレンジング料
（成分）                                                          （％）
１．（アクリル酸アルキル／メタクリル酸ステアレス−２０）
コポリマー                                                  １．５
２．エタノール                                                  ５
３．１、３―ブチレングリコール                                  ５
４．ラウリルジメチルアミノ酢酸ベタイン                          ３
６．イソノナン酸イソノニル                                      ０．５
７．ホホバ油                                                    ０．１
８．オリーブ油                                                  ０．１
９．香料                                                        適量
１０．ポリオキシエチレン（３０モル）ベヘニルエーテル              ０．１
１１．ポリオキシエチレン（２０モル）ポリオキシプロピレン（６モル）
デシルテトラデシルエーテル                                  ０．２
１２．水酸化ナトリウム                                            ０．３
１３．アルギニン                                                  ０.３
１４．精製水                                                      適量
【００５２】
（製造方法：実施例１７）
Ａ：成分（１）に（２）〜（９）を均一にしたものを添加混合する。
Ｂ：成分（１０）〜（１４）を均一にしたものを［Ａ］に添加混合する。
Ｃ：［Ｂ］を容器に充填し、クレンジング料を得た。
【００５３】
上記実施例１７のクレンジング料は「手や指での取り出しやすさ」「マッサージ特性（マッサージによる粘度変化の評価）」「洗い流し後の肌のしっとり感」に優れたものであった。また２５℃における粘度は、６，０００ｍＰａ・ｓであった。
【００５４】
実施例１８：マッサージ料
（成分）                                                            （％）
１．（アクリル酸アルキル／メタクリル酸ステアレス−２０）
コポリマー                                                  ２
２．アルキル変性カルボマー                                        ０．０５
３．エタノール                                                  １０
４．１、３―ブチレングリコール                                    ４
５．コカミドプロピルベタイン                                      ２
６．ラウリル硫酸ナトリウム                                        １
７．オレイン酸オレイル                                            ０．５
８．トリイソステリン酸ジグリセリル                                ０．５
９．香料                                                          適量
１０．ポリオキシエチレン（５モル）フィトステリルエーテル            ０．１
１１．ラウリン酸ジエチレングリコール                                ０．２
１２．水酸化ナトリウム                                              ０．４
１３．２−アミノ−２−メチル−１−プロパノール                      ０．０２
１４．乳酸ナトリウム                                                ０．１
１６．メチルパラベン                                                ０．１
１７．グリセリン                                                    ２
１８．ジプレピレングリコール                                        １
【００５５】
（製造方法：実施例１８）
Ａ：成分（１）、（２）に（３）〜（１１）を均一にしたものを添加混合する。
Ｂ：成分（１２）〜（１８）を均一にしたものを［Ａ］に添加混合する。
Ｃ：［Ｂ］を容器に充填し、マッサージ料を得た。
【００５６】
上記実施例１８のマッサージ料は「手や指での取り出しやすさ」「マッサージ特性（マッサージによる粘度変化の評価）」「洗い流し後の肌のしっとり感」に優れたものであった。また２５℃における粘度は、１５，０００ｍＰａ・ｓであった。